(57)【特許請求の範囲】
【請求項１】
田畑の周囲に張り巡らせた裸電線に衝撃電圧を供給する衝撃電圧発生回路と、衝撃電圧発生回路に電源を供給する直流電源と、直流電源と衝撃電圧発生回路との間に設けられたスイッチとを有し、前記スイッチの操作により、終日側系統、夜間側系統及び切状態のうちいずれかを選択するようにしており、前記終日側系統では、衝撃電圧発生回路が常時、作動状態となり、前記夜間側系統は光センサー回路を有し、前記夜間側系統では、前記光センサー回路が、周囲の照度を感知し、照度が高い場合は衝撃電圧発生回路を非作動状態とし、照度が低い場合は衝撃電圧発生回路を作動状態とし、前記切状態では衝撃電圧発生回路が常時、非作動状態となる電気柵において、前記終日側系統に第１音響発生回路を接続すると共に、前記夜間側系統に第２音響発生回路を接続し、前記第１音響発生回路は、前記スイッチの操作により前記終日側系統が選択されたときに音響を発生し、前記第２音響発生回路は、前記スイッチの操作により前記夜間側系統が選択されたときに音響を発生し、前記第１音響発生回路及び前記第２音響発生回路が、それぞれ異なる種類の音響を発生することを特徴とする電気柵。
【発明の詳細な説明】
【技術分野】
【０００１】
本発明は、猪やその他の野獣が田畑（果樹園等も含む）に侵入して、作物に被害（食害）をもたらすことを防止する電気柵に関する。
【背景技術】
【０００２】
従来から、猪やその他の野獣が田畑へ侵入するのを防止するために、電気柵が使用されている。電気柵によれば、多額の費用を要しないで、猪やその他の野獣の田畑や果樹園等への侵入を防止できる。
【０００３】
電気柵の代表的な構成例を図６に示す。電気柵は電気柵本体１、裸電線２、碍子３、及び支柱４によって構成されている。そして、その組み立てに際しては、田畑の周囲に支柱４を一定間隔で立設し、これに碍子３を取り付け、この碍子３に裸電線２を係止させることによって、裸電線２を田畑の周囲に張り巡らせる。
【０００４】
その使用に際しては、田畑の周囲に張り巡らせた裸電線２に、電気柵本体１により発生させたパルス状の衝撃電圧を印加する。この裸電線２に触れた猪やその他の野獣は、電撃を受け退散する。また、この電撃を受けそして電撃を学習した猪やその他の野獣は、この裸電線２等を恐れ、裸電線２に近づかなくなる。これが電気柵の効能で、広く、中山間部の農地で使用されている。
【０００５】
ところで、猪やその他の野獣は従来から人が屋外で活動しない時間帯に出没するとされており、中山間部の農地では、人が屋外で農作業等の活動をしない時間帯、すなわち、夜間に多く出没することが判明している。
【０００６】
通常、人が野外で農作業等の活動する時間帯は昼間であり、上述の猪やその他の野獣の行動から、人が屋外で農作業等の活動中には、出没しにくいと考えられる。ゆえに、昼間に衝撃電圧を発生させることは、人体にとっては感電等の危険があり、また電源の無駄使いにもなる。
【０００７】
この見地から、特許文献１または特許文献２に記載されているように、光センサー回路を内蔵した電気柵が開発され使用されてきた。これは、光センサー回路で周囲の明るさ（照度）を感知し、照度の高い昼間は電気柵を非作動状態とし、一方、照度の低い夜間は電気柵を作動状態として猪やその他の野獣の侵入を防止するようにしたものである。
【０００８】
図７は光センサー回路を内蔵した従来の電気柵本体の電気系統図である。電気柵本体１は、終日  衝撃電圧発生装置８から衝撃電圧を発生させる終日側系統１０と、光センサー回路６を組み込み夜間にのみ衝撃電圧発生装置８から衝撃電圧を発生させる夜間側系統１１とを備え、この夜間側系統１１と終日側系統１０との切り替え、あるいは電気柵本体１を「切」１２にするためにスイッチ９が設けられている。
【０００９】
このスイッチ９において、操作レバー９ａの設定状態、すなわち、終日側系統１０への設定状態であるか、夜間側系統１１への設定状態であるか、または「切」１２への設定状態であるかの確認は、スイッチ９の操作レバー９ａの設定されている位置に表示された銘板を見て行う。
【００１０】
そのスイッチ９の操作レバー９ａの設定状態を図８に示す。図８において、（ａ）は操作レバー９ａを図７の終日側系統１０に設定している状態、（ｂ）は操作レバー９ａを図７の夜間側系統１１に設定している状態、（ｃ）は操作レバー９ａを図７の「切」１２に設定している状態を示すものである。そして、スイッチ９を取り付けた外筺の取り付け面には、上記（ａ）〜（ｃ）の設定状態において操作レバー９ａが設定される位置の部位に、対応する設定状態を記した銘板９ｂ〜９ｄが貼着されている。
【００１１】
スイッチ９の操作レバー９ａを「終日」の銘板９ｂ側に設定している図８（ａ）の状態では、図７からわかるように、直流電源５からの電源が終日側系統１０を介して衝撃電圧発生回路８に常時供給され、終日、衝撃電圧発生回路８から衝撃電圧が発生する。一方、スイッチ９の操作レバー９ａを「夜間」の銘板９ｃ側に設定している図８（ｂ）の状態では、光センサー回路６に電源が供給され、それに付随する光電素子６ａ（ＣＤＳ）にて周辺照度が低下したと感知されたとき、すなわち夜間になったときにのみ衝撃電圧発生回路８から衝撃電圧が発生する。スイッチ９の操作レバー９ａが「切」の銘板９ｄへの設定位置にある図８（ｃ）の状態では、衝撃電圧発生回路８から衝撃電圧が発生することはない。
【特許文献１】実開昭５２−４４３３５号公報
【特許文献２】実開昭６０−９８２９９号公報
【発明の開示】
【発明が解決しようとする課題】
【００１２】
上述のとおり、光センサー回路６を作動させ、夜間になったときにのみ衝撃電圧発生回路８から衝撃電圧を発生させるようにするには、スイッチ９の操作レバー９ａを「夜間」の銘板９ｃ側に設定する必要がある。また、電気柵本体１のスイッチ９の操作レバー９ａが終日側系統１０へ設定されている状態か、夜間側系統１１へ設定されている状態か、または「切」１２への設定状態かは、作業者は、図８に示すスイッチ９の操作レバー９ａの設定状態を記した銘板９ｂ〜９ｄを目視で確認する必要がある。
【００１３】
しかし、作業者と銘板９ｂ〜９ｄ及び操作レバー９ａとの位置関係によっては、目視確認が行いにくい場合がある。電気柵本体１は屋外に設置されており、特に夕方薄暗くなった時間帯では目視によってスイッチ９の操作レバー９ａの設定状態を確認するのは容易でない。このような場合、作業者は電気柵本体１のスイッチ９のすぐ近くまで近づいて確認しなければならず、作業者の負担増となる。
【００１４】
ここで、一般的に電気柵本体１には図７に示すように出力表示ランプ１３が設けられている。この出力表示ランプ１３は、衝撃電圧発生回路８から衝撃電圧が発生しているときに点滅する。すなわち、出力表示ランプ１３の点滅の確認により、衝撃電圧発生回路８が作動しているかどうかを確認することができる。
【００１５】
このような作動確認を行うのは通常昼間である。昼間に衝撃電圧発生回路８が作動するのは、図７においてスイッチ９の操作レバー９ａが終日側系統１０に設定されている状態のみであるので、出力表示ランプ１３が点滅していれば、操作レバー９ａが終日側系統１０に設定されていることが確認できる。しかし、昼間は、直射日光が出力表示ランプ１３に照射されている場合等は、この確認は不確実となる。そして、昼間に出力表示ランプ１３が点滅しない状態には、操作レバー９ａが夜間側系統１１に設定されている状態と「切」１２への設定状態の両方がある。よって、操作レバー９ａが終日側系統１０に設定されている状態か、夜間側系統１１に設定されている状態であるか、または「切」１２への設定状態であるかの確認は、結局のところ、図８に示すスイッチ９の操作レバー９ａの設定状態を記した銘板９ｂ〜９ｄを目視にて確認する必要がある。また、出力表示ランプ１３の点滅確認のためには、銘板９ｂ〜９ｄの目視確認と同様に、作業者が電気柵本体１の出力表示ランプ１３のすぐ近くまで近づいて目視確認しなければならず、作業者の負担増となる。そして、この出力表示ランプ１３の点滅確認作業は通常昼間に行うため、特に出力表示ランプ１３に直射日光が照射されている場合等は、目視しにくく作業者のさらなる負担増となる。
【００１６】
このように、従来の電気柵において、その作動状態の確認は作業者の立場から容易ではなかった。そして、作業者が誤った確認に基づき作業を行った場合、例えば、スイッチ９の操作レバー９ａを夜間側系統１１に設定すべきところ、「切」１２の位置のままにしてしまった場合、電気柵が夜間になっても作動しないという不具合が起こることになる。
【００１７】
本発明が解決しようとする課題は、スイッチ操作により光センサー回路６を介して衝撃電圧発生回路８に電源を供給する形式の電気柵、またはスイッチ操作により光センサー回路６を介さずに直接衝撃電圧発生回路８に電源を供給する形式の電気柵において、スイッチの設定状態を容易かつ確実に把握できるようにすることにある。
【課題を解決するための手段】
【００１８】
本発明は、田畑の周囲に張り巡らせた裸電線に衝撃電圧を供給する衝撃電圧発生回路と、衝撃電圧発生回路に電源を供給する直流電源と、直流電源と衝撃電圧発生回路との間に設けられたスイッチとを有し、前記スイッチの操作により、終日側系統、夜間側系統及び切状態のうちいずれかを選択するようにしており、前記終日側系統では、衝撃電圧発生回路が常時、作動状態となり、前記夜間側系統は光センサー回路を有し、前記夜間側系統では、前記光センサー回路が、周囲の照度を感知し、照度が高い場合は衝撃電圧発生回路を非作動状態とし、照度が低い場合は衝撃電圧発生回路を作動状態とし、前記切状態では衝撃電圧発生回路が常時、非作動状態となる電気柵において、前記終日側系統に第１音響発生回路を接続すると共に、前記夜間側系統に第２音響発生回路を接続し、前記第１音響発生回路は、前記スイッチの操作により前記終日側系統が選択されたときに音響を発生し、前記第２音響発生回路は、前記スイッチの操作により前記夜間側系統が選択されたときに音響を発生し、前記第１音響発生回路及び前記第２音響発生回路が、それぞれ異なる種類の音響を発生することを特徴とするものである。
【００２０】
このように音響発生回路を設けたことで、光センサー回路あるいは光センサー回路を介さず直接衝撃電圧発生回路へ電源が供給されていることを作業者は電気柵本体のすぐ近くまで近づくことなく容易に、しかも確実に把握することができる。また本発明では、図７に示すように、光センサー回路６を組み込んだ夜間側系統１１のほかに終日側系統１０を有する場合において、夜間側系統１１と終日側系統１０の両方に音響発生回路を設け、スイッチ操作によりいずれかの系統が設定状態になったときに、その系統に付随する音響発生回路から音響が発生するようにしている。そして、各系統に付随する音響発生回路からは、それぞれ異なる種類の音響が発生するようにしているので、電気柵がどの系統で作動しているか、あるいは非作動なのかを容易かつ確実に把握することができる。
【発明の効果】
【００２１】
本発明では、光センサー回路あるいは光センサー回路を介さず直接衝撃電圧発生回路へ電源を供給するスイッチをオン状態としたときに音響を発生する音響発生回路を設けたことで、スイッチの設定状態を目視によってだけでなく聴覚によっても把握することができ、作業者はスイッチの設定状態を電気柵の近くを通過するだけで容易かつ確実に把握することができる。また、スイッチの誤設定を防ぐことができ、電気柵を有効に作動させることができる。
【発明を実施するための最良の形態】
【００２２】
以下、図面に示す実施例に基づき本発明の実施の形態を説明する。
【００２３】
図１は、本発明の電気柵における電気柵本体の電気系統図である。また、図２は、図１の電気系統図における音響発生回路を詳細に示し、図３は、図２の音響発生回路を拡大して示す。
【００２４】
図１に示す電気柵本体１の電気系統図は、図７に示した従来の電気系統図に音響発生回路７ａ、７ｂを付加したものである。
【００２５】
直流電源５は、本実施例の場合、ＤＣ１２Ｖを印加する。スイッチ９は、終日側系統１０と夜間側系統１１と「切」１２とを選択的に設定する開閉器である。このスイッチ９の操作レバー９ａを終日側系統１０に設定すると、衝撃電圧発生回路８に直流電源５からの電源が常時供給される。
【００２６】
一方、スイッチ９の操作レバー９ａを夜間側系統１１に設定すると、光センサー回路６に電源が供給され光センサー回路６が作動状態となる。ここで、光センサー回路６に付随する光電子素子６ａはＣＤＳからなり、周辺の照度が高くなる、すなわち昼間になると、光センサー回路６は電気的に遮断され、また、周辺の照度が低くなる、すなわち夜間になると、光センサー回路６は電気的に導通する。このような光センサー回路６の動作により、周辺の照度に応じて衝撃電圧発生回路８が作動状態または非作動状態となる。具体的には、照度の高い昼間は衝撃電圧発生回路８が非作動状態となり、照度の低い夜間は衝撃電圧発生回路８が作動状態となる。
【００２７】
また、スイッチ９の操作レバー９ａが「切」１２の設定位置にあるときは、衝撃電圧発生回路８は常時、非作動状態となる。
【００２８】
音響発生回路７ａと音響発生回路７ｂは、それぞれ終日側系統１０と夜間側系統１１に電気的に接続されている。したがって、スイッチ９の操作レバー９ａを終日側系統１０に設定すると、音響発生回路７ａに電源が供給され、スイッチ９の操作レバー９ａを夜間側系統１１に設定すると、音響発生回路７ｂに電源が供給される。
【００２９】
音響発生回路７ａと音響発生回路７ｂは同じ回路構成を有しており、図３に示すように、回路内の破線で囲まれた論理回路ＩＣは、ＮＡＮＤ素子の入力端子１６、１７及び入力端子１９、２０を接合し、論理回路におけるＮＯＴ素子に見立てて動作を行わせる回路構成となる、マルチバイブレーターである。
【００３０】
論理回路ＩＣの端子１６、１７、１８にダイオードＤ１、Ｄ２、抵抗Ｒ１、Ｒ２が接続されている。またこの論理回路ＩＣの端子１９、２０に抵抗Ｒ３が、そして端子１５にバイポーラ型コンデンサＣ１が接続されている。そして、論理回路ＩＣの電源端子２１は論理回路ＩＣの電源のプラス端子へ接続され、論理回路ＩＣの電源端子２２は論理回路ＩＣの電源のマイナス端子に接続されている。
【００３１】
スイッチ９の操作レバー９ａの設定により論理回路ＩＣに直流電源５のＤＣ１２Ｖが印加されると、図３に示すようなバイポーラ型コンデンサＣ１、ダイオードＤ１、Ｄ２、抵抗Ｒ１、Ｒ２、Ｒ３の回路構成により、論理回路ＩＣが作動を始め、点１４から図４に示すようなパルス波形が出力される。
【００３２】
ここで、抵抗Ｒ１、ダイオードＤ１は、点１４から出力される図４に示すパルス波形におけるＬｏｗレベル周期Ｔ２を制御し、また、抵抗Ｒ２、ダイオードＤ２は、パルス波形におけるＨｉｇｈレベル周期Ｔ１を制御する。したがって、パルス波形のＨｉｇｈレベル周期Ｔ１とＬｏｗレベル周期Ｔ２は、上記の回路素子の特性値を変更することにより、任意の周期に設定できる。
【００３３】
点１４から出力されたパルス波形は、抵抗Ｒ４を通り、トランジスタＴＲ１に入力される。トランジスタＴＲ１には、音圧ブザーＢＺ及び抵抗Ｒ５が接続されている。
【００３４】
スイッチ９の操作レバー９ａが「切」１２の設定状態では、音圧ブザーＢＺは音響（音波）を発生することはないが、スイッチ９の操作レバー９ａが終日側系統１０または夜間側系統１１に設定されると、直流電源５から電源が供給され、さらに、点１４を信号源としてトランジスタＴＲ１が非導通状態と導通状態を繰り返すことにより、音圧ブザーＢＺからの音響発生と停止が繰り返される。
【００３５】
ここで、点１４から出力される電気信号をパルス信号ではなく連続的な電気信号として音圧ブザーＢＺに供給し、音圧ブザーＢＺから連続音を発生させるようにすることもできる。しかし、連続音を発生させる場合、作業者に不快感を与えるおそれがあること、さらに、音響発生回路７ａ、７ｂの消費電力が増加し、電気柵の本来の機能を果たすための衝撃電圧発生回路８への電源供給に支障をきたすおそれもある。したがって、点１４から出力される電気信号は図４のようなパルス信号とし、音圧ブザーＢＺからの音響発生を断続的なものとすることが好ましい。
【００３６】
また、点１４から出力される電気信号を図４のようなパルス信号とする場合、上述のとおり、抵抗Ｒ１、Ｒ２、ダイオードＤ１、Ｄ２の特性値を変更することにより、パルス波形のＨｉｇｈレベル周期Ｔ１とＬｏｗレベル周期Ｔ２を任意に設定できる。したがって、終日側系統１０に付随する音響発生回路７ａと夜間側系統１１に付随する音響発生回路７ｂにおいて、それぞれ点１４から出力される電気信号のパルス波形を異なったものとすることができる。図５に示す例では、パルス波形のＨｉｇｈレベル周期Ｔ１とＬｏｗレベル周期Ｔ２とを異ならせたもので、（ａ）は終日側系統１０に付随する音響発生回路７ａにおけるパルス波形、（ｂ）は夜間側系統１１に付随する音響発生回路７ｂにおけるパルス波形を示す。このように、各音響発生回路におけるパルス波形を異なったものとすることにより、各音響発生回路からそれぞれ異なる種類の音響が発生する。また、スイッチ９の操作レバー９ａが「切」１２の設定状態である場合は、電気柵本体１は非作動であり、無音である。上述のような構成であるので、スイッチ９の操作レバー９ａが終日側系統１０への設定状態であるか、夜間側系統１１への設定状態であるか、または「切」１２への設定状態であるかは、聴音により容易にかつ確実に把握することができる。
【図面の簡単な説明】
【００３７】
【図１】本発明の電気柵における電気柵本体の電気系統図を示す。
【図２】図１の電気回路における音響発生回路を詳細に示す。
【図３】図２の音響発生回路を拡大して示す。
【図４】図３の音響発生回路の点１４から出力されるパルス波形の例を示す。
【図５】図３の音響発生回路の点１４から出力されるパルス波形の他の例を示す。
【図６】電気柵の代表的な構成例を示す。
【図７】光センサー回路を内蔵した従来の電気柵本体の電気系統図を示す。
【図８】図７に示すスイッチの操作レバーの設定状態を示す。
【符号の説明】
【００３８】
１  電気柵本体
２  裸電線
３  碍子
４  支柱
５  直流電源
６  光センサー回路
６ａ  光電素子
７ａ、７ｂ  音響発生回路
８  衝撃電圧発生回路
９  スイッチ
９ａ  操作レバー
９ｂ〜９ｄ  銘板
１０  終日側系統
１１  夜間側系統
１２  切
１３  出力表示ランプ
１４  点
１５〜２０  論理回路の端子
２１、２２  論理回路の電源端子
【図１】
0004637016.tif 000002
【図２】
0004637016.tif 000003
【図３】
0004637016.tif 000004
【図４】
0004637016.tif 000005
【図５】
0004637016.tif 000006
【図６】
0004637016.tif 000007
【図７】
0004637016.tif 000008
【図８】
0004637016.tif 000009